(57)【特許請求の範囲】
【請求項１】
画像撮影方法であって、
姿勢設定インターフェースに表示されている三次元ポートレートモデルの姿勢を変えることで、事前設定の撮影姿勢を取得することと、
ファインダーの画像内の目標対象の姿勢と事前設定の撮影姿勢がマッチングするか否かを検出することと、
前記目標対象の姿勢と事前設定の撮影姿勢がマッチングする場合、目標対象を含む画像を自動撮影することと、
を含むことを特徴とする画像撮影方法。
【請求項２】
前記姿勢設定インターフェースは、撮影装置或いは撮影装置と無線接続されたインテリジェント端末に表示されている
ことを特徴とする請求項１に記載の方法。
【請求項３】
前記方法は、さらに、
重力センサーにより撮影装置が水平状態にあるか否かを確定することと、
前記撮影装置が前記水平状態にある場合、前記目標対象を含む画像を自動撮影する操作を実行することと、
を含むことを特徴とする請求項１に記載の方法。
【請求項４】
前記方法は、さらに、
前記ファインダーの画像が事前設定の条件に合致するか否かを検出することと、
前記ファインダーの画像が前記事前設定の条件に合致する場合、前記目標対象を含む画像を自動撮影する操作を実行することと、
を含み、
前記事前設定の条件は、前記目標対象が前記ファインダーの画像に占める比率が事前設定の比率に達すること、及び／又は、前記目標対象が前記ファインダーの画像に占めるエリアが事前設定のエリアであることを含む、
ことを特徴とする請求項１に記載の方法。
【請求項５】
前記目標対象を含む画像を自動撮影することは、
撮影の提示メッセージを発することと、
所定の時間の待ちの後、前記目標対象を含む画像を自動撮影することと、
を含むことを特徴とする請求項１〜４のいずれか一項に記載の方法。
【請求項６】
前記方法は、さらに、
前記目標対象の姿勢と前記事前設定の撮影姿勢がマッチングしない場合、前記目標対象が姿勢を変えるように提示する音声提示メッセージを発することを含む
ことを特徴とする請求項１〜４のいずれか一項に記載の方法。
【請求項７】
画像撮影装置であって、
姿勢設定インターフェースに含まれる三次元ポートレートモデルの姿勢を変えることで、事前設定の撮影姿勢を取得する姿勢取得モジュールと、
ファインダーの画像内の目標対象の姿勢と前記姿勢取得モジュールで取得される前記事前設定の撮影姿勢がマッチングするか否かを検出する姿勢検出モジュールと、
前記目標対象の姿勢と事前設定の撮影姿勢がマッチングする場合、前記目標対象を含む画像を自動撮影する画像撮影モジュールと、
を含むことを特徴とする画像撮影装置。
【請求項８】
前記姿勢設定インターフェースは、撮影装置或いは撮影装置と無線接続されたインテリジェント端末に表示されている
ことを特徴とする請求項７に記載の装置。
【請求項９】
前記装置は、さらに、
重力センサーにより撮影装置が水平状態にあるか否かを確定する状態確定モジュールを含み、
前記画像撮影モジュールは、前記状態確定モジュールの確定した前記撮影装置が前記水平状態にある場合、前記目標対象を含む画像を自動撮影する操作を実行する、
ことを特徴とする請求項７に記載の装置。
【請求項１０】
前記装置は、さらに、
前記ファインダーの画像が事前設定の条件に合致するか否かを検出する画像検出モジュールを含み
前記事前設定の条件は、前記目標対象が前記ファインダーの画像に占める比率が事前設定の比率に達すること、及び／又は、前記目標対象が前記ファインダーの画像に占めるエリアが事前設定のエリアであることを含み、
前記画像撮影モジュールは、前記画像検出モジュールの検出した前記ファインダーの画像が前記事前設定の条件に合致する場合、前記目標対象を含む画像を自動撮影する前記操作を実行する
ことを特徴とする請求項７に記載の装置。
【請求項１１】
前記画像撮影モジュールは、
撮影の提示メッセージを発するメッセージ発出サブモジュールと、
所定の時間の待ちの後、前記目標対象を含む画像を自動撮影する画像撮影サブモジュールと、
を含むことを特徴とする請求項７〜１０のいずれか一項に記載の装置。
【請求項１２】
前記装置は、更に、
前記姿勢検出モジュールの検出した結果は前記目標対象の姿勢と前記事前設定の撮影姿勢がマッチングしない場合、前記目標対象が姿勢を変えるように提示する音声提示メッセージを発するメッセージ提示モジュールを含む、
ことを特徴とする請求項７〜１０のいずれか一項に記載の装置。
【請求項１３】
画像撮影装置であって、
プロセッサと、
プロセッサの実行可能なコマンドを記憶しているメモリと、
を含み
前記プロセッサは、
姿勢設定インターフェースに含まれる三次元ポートレートモデルの姿勢を変えることで、事前設定の撮影姿勢を取得し、
ファインダーの画像内の目標対象の姿勢と事前設定の撮影姿勢がマッチングするか否かを検出し、
前記目標対象の姿勢と事前設定の撮影姿勢がマッチングする場合、前記目標対象を含む画像を自動撮影する、
ことを特徴とする画像撮影装置。
【発明の詳細な説明】
【技術分野】
【０００１】
本願は出願番号ＣＮ２０１５１０４６３２７３.４、出願日２０１５年０７月３１日の中国特許出願に基づいて提出され、該中国特許出願の優先権を主張し、該中国特許出願の全ての内容はここで参考として本願に引用される。
【０００２】
本願は画像撮影技術分野に関し、特に画像撮影方法及び装置に関する。
【背景技術】
【０００３】
現在、携帯電話、カメラ及びスマートグラスのような画像撮影機能を備えた電子装置は既に人々の外出時に不可欠な電子製品になっている。
【０００４】
ユーザーが自分のある角度の写真を撮影する時、ユーザーは電子装置のカメラを自分に向けて撮影する。しかしながら、ユーザーが撮影する時、自分の姿勢が自分の好きな姿勢であるとは限らず、そのため、一般の場合に、ユーザーは何度も試さないと好きな写真を撮影することができない。
【発明の概要】
【０００５】
本願は画像撮影方法及び装置を提供する。
【０００６】
本願の実施例の第１態様によれば、
姿勢設定インターフェースに表示されている三次元ポートレートモデルの姿勢を変えることで、事前設定の撮影姿勢を取得することと、
ファインダーの画像内の目標対象の姿勢と事前設定の撮影姿勢がマッチングするか否かを検出することと、
前記目標対象の姿勢と事前設定の撮影姿勢がマッチングする場合、前記目標対象を含む画像を自動撮影することと
を含む画像撮影方法を提供している。
【０００７】
また、前記姿勢設定インターフェースは、撮影装置或いは撮影装置と無線接続されたインテリジェント端末に表示されている。
【０００８】
また、前記方法は、さらに、
重力センサーにより撮影装置が水平状態にあるか否かを確定することと、
前記撮影装置が前記水平状態にある場合、前記目標対象を含む画像を自動撮影する操作を実行することと、を含む。
【０００９】
また、前記方法は、さらに、
前記ファインダーの画像が事前設定の条件に合致するか否かを検出することと、
前記ファインダーの画像が前記事前設定の条件に合致する場合、前記目標対象を含む画像を自動撮影する操作を実行することと、を含み、
前記事前設定の条件は、前記目標対象が前記ファインダーの画像に占める比率が事前設定の比率に達すること、及び／又は、前記目標対象が前記ファインダーの画像に占めるエリアが事前設定のエリアであることを含む。
【００１０】
また、前記目標対象を含む画像を自動撮影することは、
撮影の提示メッセージを発することと、
所定の時間の待ちの後、前記目標対象を含む画像を自動撮影することと、を含む。
【００１１】
また、前記方法は、さらに、
前記目標対象の姿勢と前記事前設定の撮影姿勢がマッチングしない場合、前記目標対象が姿勢を変えるように提示する音声提示メッセージを発する。
【００１２】
本願の実施例の第２態様によれば、
姿勢設定インターフェースに含まれる三次元ポートレートモデルの姿勢を変えることで、事前設定の撮影姿勢を取得する姿勢取得モジュールと、
ファインダーの画像内の目標対象の姿勢と前記姿勢取得モジュールで取得される前記事前設定の撮影姿勢がマッチングするか否かを検出する姿勢検出モジュールと、
前記目標対象の姿勢と事前設定の撮影姿勢がマッチングする場合、前記目標対象を含む画像を自動撮影する画像撮影モジュールと、
を含む画像撮影装置を提供している。
【００１３】
また、前記姿勢設定インターフェースは、撮影装置或いは撮影装置と無線接続されたインテリジェント端末に表示されている。
【００１４】
また、前記装置は、さらに、
重力センサーにより撮影装置が水平状態にあるか否かを確定する状態確定モジュールを含み、
前記画像撮影モジュールは、前記状態確定モジュールが確定した前記撮影装置が前記水平状態にある場合、前記目標対象を含む画像を自動撮影する操作を実行する。
【００１５】
また、前記装置は、さらに、
前記ファインダーの画像が事前設定の条件に合致するか否かを検出する画像検出モジュールを含み
前記事前設定の条件は、前記目標対象が前記ファインダーの画像に占める比率が事前設定の比率に達すること、及び／又は、前記目標対象が前記ファインダーの画像に占めるエリアが事前設定のエリアであることを含み、
前記画像撮影モジュールは、前記画像検出モジュールの検出した前記ファインダーの画像が前記事前設定の条件に合致する場合、前記目標対象を含む画像を自動撮影する前記操作を実行する。
【００１６】
また、前記装置は、さらに、
撮影の提示メッセージを発するメッセージ発出サブモジュールと、
所定の時間の待ちの後、前記目標対象を含む画像を自動撮影する画像撮影サブモジュールと、
を含む。
【００１７】
また、前記装置は、さらに、
前記姿勢検出モジュールの検出した結果は前記目標対象の姿勢と前記事前設定の撮影姿勢がマッチングしない場合、前記目標対象が姿勢を変えるように提示する音声提示メッセージを発するメッセージ提示モジュールを含む。
【００１８】
本願の実施例の第３態様によれば、
プロセッサと、
プロセッサの実行可能なコマンドを記憶しているメモリと、を含み
前記プロセッサは、
姿勢設定インターフェースに含まれる三次元ポートレートモデルの姿勢を変えることで、事前設定の撮影姿勢を取得し、
ファインダーの画像内の目標対象の姿勢と事前設定の撮影姿勢がマッチングするか否かを検出し、
前記目標対象の姿勢と事前設定の撮影姿勢がマッチングする場合、前記目標対象を含む画像を自動撮影する、
画像撮影装置を提供している。
【００１９】
本願の実施例により提供される技術的解決手段は、下記有利な効果を含むことができる。
【００２０】
事前設定の撮影姿勢を取得し、ファインダーの画像内の目標対象の姿勢と事前設定の撮影姿勢がマッチングする場合、目標対象を含む画像を自動撮影する。かかる技術におけるユーザーが何度も試さないと自分の好きな写真を撮影することができないという問題を解決した。撮影装置は目標対象の姿勢と事前設定の撮影姿勢がマッチングする場合に自動撮影することで、ユーザー操作の複雑度を低下させる効果をもたらす。
【００２１】
理解すべきことは、以上の一般的な説明と後の詳細な説明は例示的なものに過ぎず、本願を限定するものではない。
【図面の簡単な説明】
【００２２】
ここの図面は、明細書に併入され本明細書の一部を構成し、本願に合わせた実施例を示し、明細書と共に本願の原理を解釈するためである。
【図１】一部の例示的な実施例により示された画像撮影方法に係る実施環境を示す模式図である。
【図２】一例示的な実施例により示された画像撮影方法のフローチャートである。
【図３Ａ】もう一つの例示的な実施例により示された画像撮影方法のフローチャートである。
【図３Ｂ】もう一つの例示的な実施例により示された撮影装置により撮影したファインダーの画像を示す図である。
【図４】一例示的な実施例により示された画像撮影装置のブロック図である。
【図５】もう一つの例示的な実施例により示された画像撮影装置のブロック図である。
【図６】一例示的な実施例により示された画像を撮影するための装置のブロック図である。
【発明を実施するための形態】
【００２３】
ここで例示的な実施例について詳しく説明し、その例が図面に示される。下記の説明が図面に関する時、別途に表示されない限り、異なる図面における同じ数字が、同じ又は類似する要素を示す。以下の例示的な実施例に説明される実施形態は本発明と一致する全ての実施形態を示すわけではない。逆に、それらは添付の特許請求の範囲に詳細に記載された、本発明の一部の態様と一致する装置と方法の例に過ぎない。
【００２４】
図１を参照して、それは本願の一部の例示的な実施例により提供された画像撮影方法に係る実施環境を示す模式図を示している。図１に示すように、該実施環境は撮影装置１１０とインテリジェント端末１２０を含むことができる。
【００２５】
撮影装置１１０は画像撮影機能を備える装置である。該撮影装置１１０は携帯電話、カメラを含むコンピュータ、デジタルカメラ又はスポーツカメラであってもよい。撮影装置１１０は有線又は無線のネットワークを介してインテリジェント端末１２０に接続されることができる。
【００２６】
インテリジェント端末１２０は携帯電話、タブレットパソコン又は電子書籍リーダーのような端末であってもよい。
【００２７】
図２は一例示的な実施例により示された画像撮影方法のフローチャートであり、図２に示すように、該画像撮影方法は、
事前設定の撮影姿勢を取得するステップ２０１と、
ファインダーの画像内の目標対象の姿勢と事前設定の撮影姿勢がマッチングするか否かを検出するステップ２０２と、
目標対象の姿勢と事前設定の撮影姿勢がマッチングする場合、目標対象を含む画像を自動に撮影するステップ２０３と、を含むことができる。
【００２８】
要するに、本願の実施例により提供される画像撮影方法は、事前設定の撮影姿勢を取得し、ファインダーの画像内の目標対象の姿勢と事前設定の撮影姿勢がマッチングする場合、目標対象を含む画像を自動に撮影する。かかる技術におけるユーザーが何度も試さないと自分の好きな写真を撮影することができないという問題を解決した。撮影装置は目標対象の姿勢と事前設定の撮影姿勢がマッチングした場合に自動に撮影することで、ユーザー操作の複雑度を低下させる効果をもたらす。また、目標対象を含む画像を自動に撮影することにより、ユーザーがマニュアルで撮影する時にシャッターを押さなければならないことによる表情と姿勢に影響を与えるという問題を回避できる。
【００２９】
図３Ａは一例示的な実施例により示された画像撮影方法のフローチャートであり、図３Ａに示すように、該画像撮影方法は以下のステップを含むことができる。
【００３０】
ステップ３０１において、事前設定の撮影姿勢を取得する。
【００３１】
本ステップは以下の２種類の可能な実施様態を含む。
【００３２】
第１様態は、姿勢設定信号を受信し、姿勢設定信号により設定された姿勢を事前設定の撮影姿勢とする。
【００３３】
ユーザーは撮影装置に撮影姿勢を設定することができる。それに対応して、撮影装置はユーザーが撮影姿勢を設定する姿勢設定信号を受信し、姿勢設定信号により設定された姿勢を事前設定の撮影姿勢とすることができる。
【００３４】
また、可能な実施様態として、撮影装置は、姿勢設定インターフェースを表示することができる。姿勢設定インターフェースに三次元ポートレートモデルを表示している。撮影装置はユーザーが印加して三次元ポートレートモデルの姿勢を設定するための設定信号を受信し、設定信号により設定された姿勢を事前設定の撮影姿勢に決定する。ユーザーは、上下左右にスワイプすることにより三次元ポートレートモデルの姿勢を変えることができる。つまり撮影装置は、受信された上下左右のスワイプ信号に基づいて三次元ポートレートモデルの姿勢を変えることができる。
【００３５】
例えば、撮影装置は携帯電話であることを例とし、ユーザーは１枚の右向きの写真を撮影しようとする時、携帯電話が表示した三次元ポートレートモデルに右にスワイプするスワイプ信号を印加することができる。携帯電話は、スワイプ信号を受信した後、三次元ポートレートモデルを右に向け旋回する。ユーザーは、三次元ポートレートモデルが自分の好きな角度に旋回した後スワイプを停止することができ、姿勢設定インターフェース内の確認選択肢をクリックする。携帯電話がクリック信号を受信した後、三次元ポートレートモデルの現在の姿勢を事前設定の撮影姿勢に決定する。
【００３６】
また、撮影装置はさらに複数の撮影姿勢候補を予め記憶していることができ、例えば、複数の異なる姿勢を含む人物の画像を予め記憶している。撮影姿勢候補から１つの姿勢を選択する選択信号を受信し、選択信号が選択する姿勢を事前設定の撮影姿勢とする。
【００３７】
第２様態は、インテリジェント端末からインテリジェント端末に事前に設定された姿勢である事前設定の撮影姿勢を取得する。
【００３８】
撮影装置はインテリジェント端末との間の無線接続を確立することができ、該無線接続を介してインテリジェント端末から事前設定の撮影姿勢を取得する。例えば、撮影装置はスポーツカメラであり、インテリジェント端末は携帯電話であることを例とし、スポーツカメラは携帯電話との間のＷｉＦｉ（登録商標）（Ｗｉｒｅｌｅｓｓ  Ｆｉｄｅｌｉｔｙ、忠実な無線通信環境）接続又はブルートゥース（登録商標）接続を確立し、携帯電話から事前設定の撮影姿勢を取得することができる。携帯電話内の事前設定の撮影姿勢の設定方法は上記第１種類の可能な実施様態における設定方法と類似しているため、ここでその詳細な説明を省略する。
【００３９】
ステップ３０２において、重力センサーにより撮影装置が水平状態にあるか否かを決定する。
【００４０】
ステップ３０３において、撮影装置が水平状態にある場合、ファインダーの画像内の目標対象の姿勢と事前設定の撮影姿勢がマッチングするか否かを検出する。
【００４１】
撮影装置が現在に水平状態にあると確定した場合に、この時に撮影して取得する画像が水平であり、撮影効果が良いす。それによって、撮影装置はファインダーの画像内の目標対象の姿勢と事前設定の撮影姿勢がマッチングするか否かを検出することができる。マッチングした場合、ステップ３０４を実行し、マッチングしない場合、ステップ３０６を実行する。普通に目標対象が１つあり、即ち該画像撮影方法が単一の物体を撮影するためである。
【００４２】
また、本ステップは、
撮影装置はファインダーの画を識別し、頭部の向き及び体の角度を含むファインダーの画像内の目標対象の姿勢と事前設定の撮影姿勢がマッチングするか否かを検出することを含むことができる。
【００４３】
ステップ３０４において、目標対象の姿勢と事前設定の撮影姿勢がマッチングすれば、ファインダーの画像が事前設定の条件に合致するか否かを検出する。
【００４４】
事前設定の条件は、目標対象がファインダーの画像に占める比率が事前設定の比率に達すること、及び／又は、目標対象がファインダーの画像に占めるエリアが事前設定のエリアであることを含む。
【００４５】
事前設定の条件において目標対象がファインダーの画像内に占める比率が事前設定の比率に達することを含む場合、撮影装置は、目標対象の姿勢と事前設定の撮影姿勢がマッチングすることを検出した時、目標対象がファインダーの画像に占める比率を決定することができる。例えば、ファインダーの画像は図３Ｂに示す画像であることを例とし、撮影装置は目標対象がファインダーの画像に占める比率が２／５であることを確定することができる。撮影装置は、目標対象が占める比率を確定した後、該比率が事前設定の比率に達したか否かを検出することができる。例えば、２／５は事前設定の比率１／４に達したか否かを検出する。
【００４６】
事前設定の条件において目標対象がファインダーの画像に占めるエリアが事前設定のエリアであることを含む場合、撮影装置は、目標対象の姿勢とが事前設定の撮影姿勢がマッチングすることを検出した時、目標対象がファインダーの画像に占めるエリアを確定することができる。例えば、図３Ｂに合わせて、撮影装置は目標対象が占めるエリアがエリア３１であることを確定することができる。撮影装置は、目標対象がファインダーの画像に占めるエリアを確定した後、該エリアが事前設定のエリアであるか否かを検出することができる。例えば、エリア３１は事前設定のエリア３２であるか否かを検出する。本実施例により説明される目標対象がファインダーの画像に占めるエリアが事前設定のエリアであることは、ファインダーの画像に占めるエリアが事前設定のエリアに属することである。撮影した画像の品質を保証するように、事前設定のエリアが一般的に画像の中央エリアである。
【００４７】
本実施例は事前設定の条件が上記２つを含むことのみを例示的に説明し、また、事前設定の条件はさらにその他の条件を含むことができ、本実施例はこれを限定しない。
【００４８】
ステップ３０５において、ファインダーの画像が事前設定の条件に合致する場合、目標対象を含む画像を自動撮影する。
【００４９】
また、本ステップは以下を含むことができる。
【００５０】
まず、撮影の提示メッセージを送信する。
【００５１】
撮影装置はファインダーの画像が事前設定の条件に合致することを検出した時、撮影提示メッセージを送信することができる。例えば、「ディディディ」の音声を発する。ユーザーは、音声提示メッセージを聞いた後、撮影装置がすぐに撮影することを知ることができ、この時に現在の姿勢を保ち動かないようにする。
【００５２】
次に、所定時間で待ってから、目標対象を含む画像を自動撮影する。
【００５３】
撮影装置はファインダーの画像が事前設定の条件に合致することを検出した後、タイマーを起動することができ、タイマー時間が事前設定の時間に達した時、目標対象を含む画像を自動撮影する。
【００５４】
ファインダーの画像が事前設定の条件に合致しない場合、撮影装置は継続に撮影し、ステップ３０２を改めて実行することができ、本実施例はここで詳細な説明を省略する。
【００５５】
ステップ３０６において、目標対象の姿勢と事前設定の撮影姿勢がマッチングしない場合、目標対象が姿勢を変えるように提示する音声提示メッセージを発する。
【００５６】
撮影装置は、目標対象の姿勢と事前設定の撮影姿勢がマッチングしない場合、ユーザーが撮影しようとする姿勢の画像を撮影するように、目標対象が姿勢を変えるように提示する音声提示メッセージを発することができる。例えば、撮影装置は、「姿勢を変えてください」の音声を再生する。
【００５７】
なお、ステップ３０２とステップ３０４は選択可能のステップであり、実際に実施する場合、直接にステップ３０３を実行して、目標対象の姿勢と事前設定の撮影姿勢がマッチングすることを検出した時、ステップ３０５を実行し、本実施例はこれを限定しない。ステップ３０２とステップ３０４において、本実施例はステップ３０２〜３０４が上記順番に従って実行することを例とするのみであり、また、ステップ３０２〜３０４はさらに任意の順番に従って実行することができ、本実施例はこれを限定しない。
【００５８】
本実施例の一つの適用において、ユーザーは自分のスポーツカメラを携帯電話に接続し、携帯電話に自分が撮影しようとする写真の姿勢を設定する。携帯電話はユーザーの設定した姿勢をスポーツカメラに提供する。その後、スポーツカメラは、ファインダーの画像内の自分の姿勢と事前設定の姿勢がマッチングし、且つ自分の画像がファインダーの画像に占める比率及び／又は占めるエリアが条件に合致することを検出した時、画像を自動撮影することができる。また、スポーツカメラは、撮影する前に、さらに水平状態であるか否かを検出することができ、水平状態にある場合のみに撮影し、撮影した写真の品質を向上させる。
【００５９】
要するに、本願の実施例により提供される画像撮影方法は、事前設定の撮影姿勢を取得し、ファインダーの画像の目標対象の姿勢と事前設定の撮影姿勢がマッチングする場合、目標対象を含む画像を自動撮影する。かかる技術におけるユーザーが何度も試さないと自分の好きな写真を撮影することができないという問題を解決する。撮影装置は目標対象の姿勢と事前設定の撮影姿勢がマッチングする場合自動撮影することで、ユーザー操作の複雑度を低下させる効果をもたらす。また、目標対象を含む画像を自動撮影することにより、ユーザーがマニュアルで撮影する時シャッターを押さなければならないことによる表情と姿勢に影響を与えるという問題を回避できる。
【００６０】
撮影装置は画像を撮影する前に水平にあるか否かを検出することにより、撮影装置が傾斜する時撮影した写真も傾斜するという問題を回避できる。
【００６１】
本実施例では、ファインダーの画像が事前設定の条件に合致する場合のみに撮影し、目標対象がファインダーの画像に小さ過ぎ又は目標対象がファインダーの画像の縁に位置する場合撮影装置が撮影した画像品質が悪いという問題を回避でき、撮影した画像の品質を向上させることができる効果に達する。
【００６２】
撮影装置は、画像を撮影している時、撮影提示メッセージを発することができる。ユーザーが撮影提示メッセージを取得した後、現在の姿勢を保ち動かない。撮影装置でユーザーが撮影しようとする写真を撮影することを確保できる。
【００６３】
また、撮影装置は、目標対象の姿勢が事前設定の撮影姿勢にマッチングしないことを検出した時、目標対象が姿勢を変えるように提示する音声提示メッセージを発し、ユーザーの所望姿勢の写真をより早くに撮影することができることを保証する。
【００６４】
以下は本願装置の実施例であり、本願方法の実施例を実行することに用いられる可能である。本願装置の実施例において開示されていない詳細説明に対して、本願方法の実施例を参照する。
【００６５】
図４は一例示的な実施例により示された画像撮影装置のブロック図である。図４に示すように、該画像撮影装置は姿勢取得モジュール４０１、姿勢検出モジュール４０２及び画像撮影モジュール４０３を含むことができるが、それに限定されない。
【００６６】
姿勢取得モジュール４０１は、事前設定の撮影姿勢を取得するように構成された。
【００６７】
姿勢検出モジュール４０２は、ファインダーの画像内の目標対象の姿勢と前記姿勢取得モジュール４０１で取得される前記事前設定の撮影姿勢がマッチングするか否かを検出するように構成された。
【００６８】
画像撮影モジュール４０３は、前記目標対象の姿勢と前記事前設定の撮影姿勢がマッチングする場合、前記目標対象を含む画像を自動撮影するように構成された。
【００６９】
要するに、本願の実施例により提供される画像撮影装置は、事前設定の撮影姿勢を取得し、ファインダーの画像内の目標対象の姿勢と事前設定の撮影姿勢がマッチングする場合、目標対象を含む画像を自動撮影する。かかる技術におけるユーザーが何度も試さないと自分の好きな写真を撮影することができないという問題を解決する。撮影装置は目標対象の姿勢が事前設定の撮影姿勢にマッチングする場合に自動撮影することで、ユーザー操作の複雑度を低下させる効果をもたらす。
【００７０】
図５は一例示的な実施例により示された画像撮影装置のブロック図である。図５に示すように、該画像撮影装置は姿勢取得モジュール５０１、姿勢検出モジュール５０２及び画像撮影モジュール５０３を含むことができるが、それに限定されない。
【００７１】
姿勢取得モジュール５０１は、事前設定の撮影姿勢を取得するように構成される。
【００７２】
姿勢検出モジュール５０２は、ファインダーの画像内の目標対象の姿勢と前記姿勢取得モジュール５０１で取得される前記事前設定の撮影姿勢がマッチングするか否かを検出するように構成される。
【００７３】
画像撮影モジュール５０３は、前記目標対象の姿勢と前記事前設定の撮影姿勢がマッチングする場合、前記目標対象を含む画像を自動撮影するように構成される。
【００７４】
また、前記姿勢取得モジュール５０１は、
姿勢設定信号を受信し、前記姿勢設定信号により設定された姿勢を前記事前設定の撮影姿勢とするように構成された第１取得サブモジュール５０１ａ、
又は、
インテリジェント端末から前記インテリジェント端末に事前設定された姿勢である事前設定の撮影姿勢を取得するように構成された第２取得サブモジュール５０１ｂ、を含む。
【００７５】
また、前記装置は、さらに、
重力センサーにより撮影装置が水平状態にあるか否かを確定するように構成された状態確定モジュール５０４と、
前記状態決定モジュール５０４が確定した前記撮影装置が前記水平状態にある場合、前記目標対象を含む画像を自動撮影する前記操作を実行するように構成された前記画像撮影モジュール５０３と、を含む。
【００７６】
また、前記装置は、さらに、
前記ファインダーの画像が事前設定の条件に合致するか否かを検出するように構成された画像検出モジュール５０５と、
前記画像検出モジュール５０５の検出した前記ファインダーの画像が前記事前設定の条件に合致する場合、前記目標対象を含む画像を自動撮影する前記操作を実行するように構成された前記画像撮影モジュール５０３と、を含み
前記事前設定の条件は、前記目標対象が前記ファインダーの画像に占める比率が事前設定の比率に達すること、及び／又は、前記目標対象が前記ファインダーの画像に占めるエリアが事前設定のエリアであることを含む。
【００７７】
また、前記画像撮影モジュール５０３は、
撮影の提示メッセージを発するように構成されたメッセージ発出サブモジュール５０３ａと、
所定の時間の待ちの後、前記目標対象を含む画像を自動撮影するように構成された画像撮影サブモジュール５０３ｂと、を含む。
【００７８】
また、前記装置は、さらに、
前記姿勢検出モジュール５０２の検出した結果は前記目標対象の姿勢と前記事前設定の撮影姿勢がマッチングしない場合、前記目標対象が姿勢を変えるように提示する音声提示メッセージを発するように構成されたメッセージ提示モジュール５０６を含む。
【００７９】
要するに、本願の実施例により提供される画像撮影装置は、事前設定の撮影姿勢を取得し、ファインダーの画像の目標対象の姿勢と事前設定の撮影姿勢がマッチングする場合、目標対象を含む画像を自動撮影する。かかる技術におけるユーザーが何度も試さないと自分のすきな写真を撮影することができないという問題を解決する。撮影装置は目標対象の姿勢と事前設定の撮影姿勢がマッチングする場合に自動撮影することで、ユーザー操作の複雑度を低下させる効果をもたらす。また、目標対象を含む画像を自動撮影することにより、ユーザーがマニュアルで撮影する時シャッターを押さなければならないことによる表情と姿勢に影響を与えるという問題を回避できる。
【００８０】
撮影装置は画像を撮影する前に水平にあるか否かを検出することにより、撮影装置が傾斜する時撮影した写真も傾斜するという問題を回避できる。
【００８１】
本実施例では、ファインダーの画像が事前設定の条件に合致する場合のみに撮影し、目標対象はファインダーの画像内に小さ過ぎ又は目標対象がファインダーの画像の縁に位置する場合、撮影装置が撮影した画像の品質が悪いという問題を回避し、撮影した画像の品質を向上させることができる効果に達する。
【００８２】
撮影装置は、画像を撮影する時撮影提示メッセージを発することができる。ユーザーは、撮影提示メッセージを取得した後、現在の姿勢を保ち動かない。撮影装置でユーザーが撮影しようとする写真を撮影することを保証する。
【００８３】
また、撮影装置は、目標対象の姿勢と事前設定の撮影姿勢がマッチングしないことを検出した時、目標対象が姿勢を変えるように提示する音声提示メッセージを発し、ユーザーの所望姿勢の写真をより早く撮影することができることを保証する。
【００８４】
上記実施例の装置について、各モジュールの操作を実行する具体的な態様は既に該方法に係る実施例において詳細に説明したため、ここでその詳細な説明を省略する。
【００８５】
本願の一例示的な実施例は画像撮影装置を提供し、本願により提供される画像撮影方法を実現することができ、該画像撮影装置はプロセッサと、プロセッサの実行可能なコマンドを記憶するメモリと、を含み、
前記プロセッサは、
事前設定の撮影姿勢を取得し、
ファインダーの画像の目標対象の姿勢と事前設定の撮影姿勢がマッチングするか否かを検出し、
前記目標対象の姿勢と事前設定の撮影姿勢がマッチングする場合、目標対象を含む画像を自動撮影するように構成される。
【００８６】
図６は一例示的な実施例により示された画像を撮影するための装置６００のブロック図である。例えば、装置６００は携帯電話、コンピュータ、ディジタル放送端末、メッセージ送受信装置、ゲームコンソール、タブレット型装置、医療機器、フィットネス装置、パーソナルデジタルアシスタントなどであってもよい。
【００８７】
図６に示すように、装置６００は処理部６０２、カメラ部６０４、電源部６０６、マルチメディア部６０８、オーディオ部６１０、入力／出力（Ｉ／Ｏ）インターフェース６１２、センサー部６１４、及び通信部６１６の一つ又は複数の部材を含むことができる。
【００８８】
処理部６０２は、一般的に部材６００の全体的操作、例えば、表示、電話の呼び出し、データ通信、カメラ操作及び記録操作に関連する操作を制御する。処理部６０２は、上記方法の全部又は一部のステップを完成するように、コマンドを実行する一つ又は複数のプロセッサ６１８を含むことができる。なお、処理部６０２は、その他の部材との間のインタラクションを行うための一つ又は複数のモジュールを含むことができる。例えば、処理部６０２は、マルチメディア部６０８と処理部６０２とのインタラクションを行うマルチメディアモジュールを含むことができる。
【００８９】
カメラ部６０４は画像を収集するように構成された。該カメラ部６０４は光学センサーにより構成される部材であってもいい。
【００９０】
電源部６０６は、装置６００の様々な部材へ電力を提供する。電源部材６０６は、電力管理システム、一つ又は複数の電源、及びその他の装置６００に対する電力の生成、管理及び供給に関連する部材を含むことができる。
【００９１】
マルチメディア部６０８は、前記装置６００とユーザーの間の出力インターフェースを提供するスクリーンを含む。一部の実施例において、スクリーンは液晶ディスプレイ（ＬＣＤ）とタッチパネル（ＴＰ）を含むことができる。スクリーンにタッチパネルが含まれる場合、ユーザからの入力信号を受信するように、スクリーンがタッチパネルとして実現してもいい。タッチパネルは、タッチ、スワイプ及びタッチパネルに対するジェスチャーを検知するための一つ又は複数のタッチセンサーを含む。前記タッチセンサーは、タッチ又はスワイプ動作の境界を検知するのみでなく、前記タッチ又はスワイプの動作に関連する持続時間及び圧力を検出することができる。一部の実施例において、マルチメディア部６０８は、フロントカメラ及び／又はバックカメラを含む。装置６００が操作モードにある場合、例えば、撮影モード又はビデオモードである場合、フロントカメラ及び／又はバックカメラは外部からのマルチメディアデータを受信することができる。各フロントカメラ及びバックカメラは、固定された光学レンズシステムであり、又は焦点距離と光学ズーム能力を有してもいい。
【００９２】
オーディオ部６１０は、オーディオ信号を出力及び／又は入力するように構成される。例えば、オーディオ部６１０は、マイクロフォン（ＭＩＣ）を含んでいる。マイクロフォンは、装置６００が操作モードにある場合、例えば、呼び出しモード、記録モード、音声認識モードにある場合、外部のオーディオ信号を受信するように構成される。受信されたオーディオ信号は、さらにメモリー６０４に記憶され、又は通信部６１６を介して送信される。一部の実施例において、オーディオ部６１０は、さらにオーディオ信号を出力するスピーカーを含んでいる。
【００９３】
Ｉ／Ｏインタフェース６１２は、処理部６０２と周辺インタフェースモジュールの間にインタフェースを提供する。上記周辺インタフェースモジュールは、キーボード、クリックホイール、ボタンなどであってもよい。これらのボタンは、ホームボタン、ボリュームボタン、スタートボタン及びロックボタンを含んでもいいが、それに限定されない。
【００９４】
センサー部６１４は、装置６００へ各方面からの状態評価を提供する一つ又は複数のセンサーを含んでいる。センサー部６１４は、例えば、装置６００のオン／オフ状態、例えば装置６００のディスプレイ及びキーパッドである部品の相対的位置決めを検出することができ、さらに装置６００又は装置６００の一つの部品の位置変化、ユーザと装置６００の接触の有無、装置６００の方位又は加速／減速、及び装置６００の温度変化を検出することができる。センサー部６１４は、物理的接触がない時、近傍物体の存在を検出する近接センサーを含んでいるように構成される。センサー部６１４は、さらに、例えばＣＭＯＳ又はＣＣＤイメージセンサーなどの、イメージングアプリケーションに用いられる光学センサーを含むことができる。一部の実施例において、該センサー部６１４は、さらに加速度センサー、ジャイロセンサー、磁気センサー、圧力センサー又は温度センサーを含むことができる。
【００９５】
通信部６１６は、装置６００とその他の装置との間の有線又は無線方式による通信ためのであるように構成される。装置６００は、通信標準に基づく例えば、Ｗｉ−Ｆｉ（登録商標）、２Ｇ又は３Ｇ、又はそれらの組み合わせの無線ネットワークにアクセスすることができる。一例示的な実施例において、通信部６１６は、放送チャネルを介して外部放送管理システムからの放送信号又は放送関連情報を受信する。一例示的な実施例において、前記通信部６１６は、さらに狭域通信を促進するための近距離無線通信（ＮＦＣ）モジュールを含む。例えば、ＮＦＣモジュールにおいて、無線周波数識別（ＲＦＩＤ）技術、赤外線データ協会（ＩｒＤＡ）技術、超広帯域（ＵＷＢ）技術、ブルートゥース（登録商標）（ＢＴ）及びその他の技術により実現することができる。
【００９６】
一例示的な実施例において、装置６００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現され、上記方法を実行するためである。
【００９７】
一例示的な実施例において、さらに、装置６００のプロセッサ６１８により実行されて上記方法を完成することができるコマンドを有する、例えばメモリー６０４である非一時的コンピュータ可読記憶媒体を提供している。例えば、前記非一時的なコンピュータ可読記憶媒体は、ＲＯＭ、ランダムアクセスメモリー（ＲＡＭ）、ＣＤ−ＲＯＭ、磁気テープ、フロッピーディスク（登録商標）及び光データ記憶装置などであってもよい。
【００９８】
非一時的なコンピュータ可読記憶媒体は、前記記憶媒体におけるコマンドが端末のプロセッサにより実行されることで、端末に本明細書により提供される通信メッセージの処理方法を実行可能にさせる。
【００９９】
ここで理解すべきことは、本願は既に上記のように説明され、図面に示された精確な構成に限定されず、その範囲を逸脱しない限りにおいて様々な修正や変更を行うことができる。本願の範囲は添付の請求項のみにより限定される。
【図１】
0006328345.tif 000002
【図２】
0006328345.tif 000003
【図３Ａ】
0006328345.tif 000004
【図３Ｂ】
0006328345.tif 000005
【図４】
0006328345.tif 000006
【図５】
0006328345.tif 000007
【図６】
0006328345.tif 000008